(57)【要約】【課題】防爆弁が設けられた電子部品において、防爆弁が作動して内部から噴出する白煙や異臭の漏洩を簡易な構造により防止する電子部品を提供することを目的とする。【解決手段】アルミ電解コンデンサ１００に、収容部２０１、縦伸縮部２０２及び環状伸縮部２０３から成るキャップ２００を取り付けることで、アルミ電解コンデンサ１００の内部から噴出する電解液による白煙や異臭を、簡易な構造により確実に収容することができる。【選択図】図５
2006286969.tif 000002
【特許請求の範囲】
【請求項１】
故障時に内圧が上昇して爆発することを防止する防爆弁が設けられた電子部品において、
前記防爆弁が作動した時に前記電子部品から噴出する該電子部品の内容物又は該内容物の反応物を封入する封入部材を取り付けたことを特徴とする電子部品。
【請求項２】
請求項１記載の電子部品において、前記封入部材は、前記防爆弁の周囲を囲むように前記電子部品に取り付けられ、前記防爆弁が作動した時に風船状に膨らむキャップから成ることを特徴とする電子部品。
【請求項３】
請求項２記載の電子部品において、前記キャップは、前記防爆弁が作動した時に前記電子部品から外れてしまうのを防止する環状の伸縮部を有することを特徴とする電子部品。
【請求項４】
請求項３記載の電子部品において、前記環状の伸縮部は、環状のゴムを含んで構成されることを特徴とする電子部品。
【請求項５】
請求項２乃至４記載の電子部品において、前記キャップは、伸長した時に少なくとも前記電子部品の主要部を覆うように該電子部品の高さ方向に伸縮する高さ方向伸縮部を有することを特徴とする電子部品。
【請求項６】
請求項１乃至５記載の電子部品において、該電子部品は、アルミ電解コンデンサであることを特徴とする電子部品。
【請求項７】
請求項１乃至６記載の電子部品を備えたことを特徴とする回路基板。
【請求項８】
請求項７記載の回路基板を備えたことを特徴とする記録装置。
【請求項９】
請求項７記載の回路基板を備えたことを特徴とする電子機器。
【請求項１０】
故障時に内圧が上昇して爆発することを防止する防爆弁が設けられたアルミ電解コンデンサと、前記防爆弁が作動した時に前記防爆弁から噴出する前記アルミ電解コンデンサの内容物又は該内容物の反応物を封入するキャップと、を有するアルミ電解コンデンサの内容物漏洩防止構造において、
前記キャップは、少なくとも、風船状に伸張して前記アルミ電解コンデンサの内容物又は該内容物の反応物を封入する収容部と、
前記防爆弁が作動した場合に、前記内圧により前記アルミ電解コンデンサから外れることを防止する環状の伸縮部と、を備え、
前記環状の収縮部は、前記アルミ電解コンデンサのケースに設けられた凹部に係止されることを特徴とするアルミ電解コンデンサの内容物漏洩防止構造。
【発明の詳細な説明】
【技術分野】
【０００１】
本発明は、内圧が上昇して爆発することを防止する防爆弁を備える電子部品及び該電子部品を備えた回路基板及び該回路基板を備えた記録装置、電子機器に関するものである。
【背景技術】
【０００２】
一般に電子機器は、各種の電子部品を含み、当該電子部品は基板に実装されている。上記各種の電子部品のうち、電解コンデンサは、電解液の含浸したコンデンサ素子を金属ケースに収納している。この、電解コンデンサに定格よりも高い過電圧が印加されると電解液の有機溶媒が気化すると共に、電気化学反応により水素ガス等が発生する。これらの気体により、金属ケースの内圧が高まり爆発に至るため、爆発を防ぐための防爆弁が設けられている。防爆弁は、金属ケースの一部に薄肉部を形成し、内圧がしきい値を超えた場合に開弁され機能する。これにより、電解コンデンサは爆発することなく安全に故障に至る。
【０００３】
しかしながら、防爆弁が作動した際に電解液が噴出して基板や他の電子部品に付着してしまう問題点がある。また、電子機器内部から漏洩する白煙や異臭は、使用者に発火によるものであるかの誤解を与える可能性がある。そこで、防爆弁の上方にゲル化剤を配置し、電解液をゲル化することにより外部への噴出を防ぐ電解コンデンサが提案されている。（例えば、特許文献１記載）
【特許文献１】特開平５−１３２８９号公報
【発明の開示】
【発明が解決しようとする課題】
【０００４】
しかしながら、上述した特許文献１記載の電解コンデンサによれば、気化した電解液に伴う白煙や異臭が外部へ漏洩するおそれを否定できないといった問題がある。また、コンデンサの製造段階において、ゲル化剤を配置し、更には、ゲル化剤を配置するための保持部材を設ける必要がある。従って、電解コンデンサの構造が複雑になり、製造コストも高くなってしまうという問題がある。
【０００５】
本発明は以上の課題に鑑みてなされたもので、防爆弁が設けられた電子部品において、防爆弁が作動して内部から噴出する白煙や異臭を、簡易な構造により防止する電子部品を提供することを目的とする。
【課題を解決するための手段】
【０００６】
上記目的を達成するため、本発明の電子部品は、故障時に内圧が上昇して爆発することを防止する防爆弁が設けられた電子部品において、前記防爆弁が作動した時に前記電子部品から噴出する該電子部品の内容物又は該内容物の反応物を封入する封入部材を取り付けたことを特徴としている。
【０００７】
これにより、電子部品が故障した場合に、防爆弁が作動して安全に故障に至ると共に、電子部品から噴出する電子部品の内容物や内容物の反応物が外部に漏洩することを防止できる。従って、使用者に不要な誤解を与えることも防止できる。
【０００８】
また本発明の電子部品では、前記封入部材は、前記防爆弁の周囲を囲むように前記電子部品に取り付けられ、前記防爆弁が作動した時に風船状に膨らむキャップから成ることを特徴としている。これにより、電子部品から噴出する電子部品の内容物又は内容物の反応物が多い場合でも、キャップが膨らみ対応することができる。
【０００９】
また本発明の電子部品では、前記キャップは、前記防爆弁が作動した時に前記電子部品から外れてしまうのを防止する環状の伸縮部を有することを特徴としている。これにより、環状の伸縮部が収縮して電子部品に付勢するので、電子部品から噴出する電子部品の内容物又は内容物の反応物の圧力によってキャップが外れることを防止できる。
【００１０】
また本発明の電子部品では、前記環状の伸縮部は、環状のゴムを含んで構成されることを特徴としている。これにより、電子部品から噴出する電子部品の内容物又は内容物の反応物の圧力によってキャップが外れることを容易に防止することができる。また、キャップの取り付け工程においてゴムを伸長させて電子部品に掛けるだけで簡易に取り付けることが可能である。
【００１１】
また、本発明の電子部品では、前記キャップは、伸長した時に少なくとも前記電子部品の主要部を覆うように該電子部品の高さ方向に伸縮する高さ方向伸縮部を有することを特徴としている。これにより、高さ方向伸縮部が伸縮して高さの違いを吸収し、様々な高さの電子部品に取り付けることが可能である。
【００１２】
また、本発明の電子部品では、該電子部品は、アルミ電解コンデンサであることを特徴としている。これにより、上記各作用効果を奏するアルミ電解コンデンサを提供することができる。
【００１３】
また、本発明の回路基板では、上記電子部品の何れかを備えることを特徴としている。これにより、上記各作用効果を奏する回路基板を提供することができる。また、本発明の記録装置では、上記電子部品の何れかを備えることを特徴としている。これにより、上記各作用効果を奏する記録装置を提供することができる。また、本発明の電子機器では、上記電子部品の何れかを備えることを特徴としている。これにより、上記各作用効果を奏する電子機器を提供することができる。
【００１４】
また、本発明のアルミ電解コンデンサの内容物漏洩防止構造では、故障時に内圧が上昇して爆発することを防止する防爆弁が設けられたアルミ電解コンデンサと、前記防爆弁が作動した時に前記防爆弁から噴出する前記アルミ電解コンデンサの内容物又は該内容物の反応物を封入するキャップと、を有するアルミ電解コンデンサの内容物漏洩防止構造において、前記キャップは、少なくとも、風船状に伸張して前記アルミ電解コンデンサの内容物又は該内容物の反応物を封入する収容部と、前記防爆弁が作動した場合に、前記内圧により前記アルミ電解コンデンサから外れることを防止する環状の伸縮部と、を備え、前記環状に収縮部は、前記アルミ電解コンデンサのケースに設けられた凹部に係止されることを特徴としている。
【００１５】
これにより、環状の伸縮部がアルミ電解コンデンサに設けられている凹部で係止し、アルミ電解コンデンサの凹部で収縮するので、キャップを外れ難くすることができる。また、キャップの取り付け工程においてどの位置までキャップを伸張させて取り付けるかが一定化され、取り付け作業の精度を向上することができる。
【発明を実施するための最良の形態】
【００１６】
以下、発明の実施の形態を通じて本発明を説明するが、以下の実施形態は特許請求の範囲にかかる発明を限定するものではなく、又実施形態の中で説明されている特徴の組み合わせの全てが発明の解決手段に必須であるとは限らない。
【００１７】
はじめに、本発明に係る電子部品を備える「電子機器」としての記録装置１０を一例に説明する。
【００１８】
図１は、本発明の実施形態に係る記録装置の外観を示す斜視図である。図１に示す記録装置１０は、上部カバー１２、上部ハウジング１３及び下部ハウジング１４を有し、前面には、開口した挿入口１５が設けられている。この挿入口１５へ被記録物１１が挿入されると、記録装置１０により被記録物１１に記録が行われ、被記録物１１が挿入口１５から排出される。
【００１９】
被記録物１１が詰まった場合の処置等のために、上部ハウジング１３は開閉できるようになっている。ここで、被記録物１１は、所定の長さに裁断された単票紙、フィルム、複数枚の用紙が重ね合わされた複写紙、通帳などである。
【００２０】
次に、記録装置１０の主制御基板４０と電源基板５０について、図２を参照して説明する。図２は、記録装置１０内部の主制御基板４０、電源基板５０及びその周辺付近を示す斜視図である。
【００２１】
図２の中央右付近には、パワー系部品やロジック系部品が実装され、記録装置１０の制御部を主に構成する主制御基板４０が水平方向に配設されている。主制御基板４０の左隣には、電源の１次側部品群５１が実装される電源基板５０が水平方向に配設されている。
【００２２】
主制御基板４０は、各種コネクタが配設されるコネクタ領域４１、パワー系部品が実装されるパワー系部品実装領域４２、ロジック系部品が実装されるロジック系部品実装領域４３を含む。
【００２３】
パワー系部品実装領域４２には、例えば、図示しないモータドライバ、ヘッドドライバ等のパワー系部品、これらより発生する熱を放出させるためのヒートシンク４２ａ、４２ｂが実装されている。
【００２４】
ロジック系部品実装領域４３には、ＣＰＵ、ＲＯＭ等のロジック系部品が実装され、記録装置１０の背面に配設されたインターフェイス部４４とアクセスが容易な位置にロジック系部品実装領域４３は設けられている。
【００２５】
コネクタ領域４１、パワー系部品実装領域４２、ロジック系部品実装領域４３に実装された各種部品は、主制御基板４０に設けられた図示しない回路パターンを介して接続されている。
【００２６】
次に、電源基板５０について説明する。電源基板５０上には、各種部品により１次側部品群５１が構成されている。１次側部品群５１には、例えばトランスやスイッチング素子としてのトランジスタ及びアルミ電解コンデンサ１００等が実装されている。ここで、上述したように本発明の目的は、アルミ電解コンデンサ１００の防爆弁１０７（図３参照）が作動した際に噴出される白煙や異臭の漏洩を防止することにある。
【００２７】
以下、図３を参照して本実施形態に係るアルミ電解コンデンサ１００について説明し、図４を参照して白煙及び異臭の漏洩を防止するためのキャップ２００について説明する。なお、本実施形態においては、電源基板５０上に実装された一のアルミ電解コンデンサ１００について説明するが、電源基板５０上に実装されたアルミ電解コンデンサ１００は、一つに限らない。また、主制御基板４０やその他の基板上にアルミ電解コンデンサが実装されている場合についても、当然に本発明は適用可能である。
【００２８】
図３は、本実施形態に係るアルミ電解コンデンサ１００の断面図である。なお、断面は図２の破線で示した面を矢印Ａ方向から見たものである。
【００２９】
アルミ電解コンデンサ１００は、電解液を含浸したコンデンサ素子１０１を金属ケース１０２に収納している。
【００３０】
コンデンサ素子１０１は、陽極箔および陰極箔の各々を、電解紙を介して巻回しすることで構成されている。陽極箔は、粗面化したアルミ箔からなり、表面に誘電体として酸化アルミニウム膜を形成する。陰極膜は、アルミ箔からなる。電解紙は、有機溶媒を用いた電解液を含侵する薄い紙である。
【００３１】
金属ケース１０２は有底筒状であり、開口端側は封口部材１０３で密封されている。封口部材１０３は、金属ケース１０２の開口端側を密封して外部と遮断することにより、コンデンサ素子１０１や電解液の劣化を防止している。一方、金属ケース１０２の底部側には、防爆弁１０７が設けられている。また、金属ケース１０２の開口端側の側面には、周囲よりも小さい径の凹部１０４が形成されている。
【００３２】
リード１０５、１０６は、金属ケース１０２の開口端側から封口部材１０３を貫通して導出されている。リード１０５、１０６は、陽極箔および陰極箔の各々と電気的に接続されている。そして、陽極及び陰極のリード１０５、１０６の間に電圧が印加されることにより、電荷を蓄える。ここで、陽極及び陰極のリード１０５、１０６の間に、過電圧が印加されると、コンデンサ素子１０１が発熱する。コンデンサ素子１０１が発熱することにより、コンデンサ素子１０１に含侵された電解液が気化するとともに、電解液の電気化学反応により水素ガス等の気体が発生する。これらの気体が発生することにより、金属ケース１０２内の内圧が上昇する。
【００３３】
防爆弁１０７は、金属ケース１０２の底部に周囲より肉薄で形成されている。そして防爆弁１０７は、内圧が上昇した際に開弁可能に構成されている。具体的には、金属ケース１０２底部の中央付近から外側に向かって放射状に溝を有している（図２参照）。そして、防爆弁作動時には、溝に沿って開弁し、金属ケース１０２内の電解液及び気化した電解液等が放出される。これにより、内圧が低下しアルミ電解コンデンサ１００は爆発することなく安全に故障に至る。
【００３４】
続いて、図４を参照してアルミ電解コンデンサ１００に取り付けて、白煙や異臭の外部への漏洩を防止するためのキャップ２００について説明する。図４は、図３に示すアルミ電解コンデンサ１００に取り付けるキャップ２００の正面図である。
【００３５】
キャップ２００は、その機能により分類した場合、収容部２０１、縦伸縮部２０２及び環状伸縮部２０３より構成される。キャップ２００は、伸縮自在な弾性を有する材料により形成される。好ましくは、キャップ２００は、伸縮性に加え、耐熱性及び電解液に対する耐侵食性が高い材料により形成するようにする。
【００３６】
収容部２０１は、防爆弁１０７の作動時に噴出する気体及び電解液等を収容する部分である。収容部２０１が、気体及び電解液等を収容することにより、外部への白煙や異臭の漏洩を防止している。具体的には、収容部２０１は風船状に自在に伸縮することにより気体及び電解液等を収容する。これにより、発生する気体及び電解液等の体積の大小によることなく確実に収容可能である。また、防爆弁１０７の非作動時には、収容部２０１は収縮した状態である。従って、金属ケース１０２上方のスペースを大きく占有することはない。すなわち、収容部２０１が自在に伸縮するので、発生する気体及び電解液等の体積が大きい場合を想定して、収容部２０１を大きくする必要がない。
【００３７】
縦伸縮部２０２は、縦方向に自在に伸縮する機能を有する。ここで、本実施形態においては、縦伸縮部２０２の形状を蛇腹状に構成している。先ず、縦伸縮部２０２は、蛇腹の折り畳まれた分だけ伸張する。更に、縦伸縮部２０２は上述したように伸縮自在な弾性を有する材料により形成される。そのため、キャップ２００の縦伸縮部２０２自体も伸張する。従って、縦伸縮部２０２を伸縮させることによりアルミ電解コンデンサ１００の高さの違いを吸収し、様々な高さのアルミ電解コンデンサ１００にキャップ２００を取り付けることができる。
【００３８】
環状伸縮部２０３は、横方向に自在に伸縮する機能を有する。環状伸縮部２０３は、例えば環状のゴム等を内蔵することにより構成される。これにより、環状伸縮部２０３は、収縮してアルミ電解コンデンサ１００に付勢するので、キャップ２００を外れ難くする。また、キャップ２００をアルミ電解コンデンサ１００に取り付ける際に、アルミ電解コンデンサ１００の径に応じて環状伸縮部２０３が伸縮するので、様々な径のアルミ電解コンデンサ１００に取り付けることができる。
【００３９】
また、本実施形態のキャップ２００は透明色に構成される。これにより、外部から金属ケース１０２（図３参照）の表面に表記された電解液の定格等を視認することができる。
【００４０】
以上のアルミ電解コンデンサ１００及びキャップ２００の構成において、図５を参照してキャップ２００の取り付け手順について説明する。図５は、アルミ電解コンデンサ１００にキャップ２００を取り付ける手順を示す正面図である。図５（ａ）には、アルミ電解コンデンサ１００にキャップ２００を取り付ける際の状態を示している。図５（ｂ）には、アルミ電解コンデンサ１００にキャップ２００を取り付け途中の状態を示している。図５（ｃ）には、アルミ電解コンデンサ１００にキャップ２００を取り付けた後の状態を示している。
【００４１】
先ず、図５（ａ）示すように、キャップ２００は、アルミ電解コンデンサ１００の径に応じて環状伸縮部２０３を伸張させ、図５（ｂ）に示すように金属ケース１０２の底部側から取り付ける。そして、キャップ２００は、図５（ｃ）に示すように金属ケース１０２の略全周を被覆するように取り付けられる。すなわち、環状伸縮部２０３が金属ケース１０２側面の凹部１０４に位置するまで縦伸縮部２０２を伸張させる。そして、環状伸縮部２０３が凹部１０４に係止するように取り付けられる。従って、キャップ２００は、凹部１０４に係止され、上述したように更に、環状伸縮部２０３が収縮して金属ケース１０２に付勢する。これにより、防爆弁１０７が作動して、気体及び電解液等が外部に放出される際の圧力によって、キャップ２００が外れてしまうことを防止している。
【００４２】
また、アルミ電解コンデンサ１００の形状において、金属ケース１０２に凹部１０４を形成することは一般的である。従って、特別にキャップ２００を取り付けるための取り付け部等を設ける必要はない。また、キャップ２００を取り付ける工程において、縦伸縮部２０２をどこまで下方に伸張させるかを一定化することができ、取り付け作業の精度を向上することができる。また、防爆弁１０７の非作動時には、収容部２０１は収縮した状態であり、図５（ｃ）に示したように、キャップ２００とアルミ電解コンデンサ１００との間の空間は僅かである。このように、防爆弁１０７の作動時に備えてキャップ２００とアルミ電解コンデンサ１００の間の空間に余裕を持たせる必要がない。
【００４３】
上述した図５（ａ）から図５（ｃ）の説明より明らかなように、本実施形態に係るキャップ２００は、非常に簡易な方法でアルミ電解コンデンサ１００に取り付けることができる。従って、白煙や異臭の漏洩を防止すると共に、製造コストの低減も図ることができる。
【００４４】
次に、防爆弁１０７が作動した状態について説明する。図６は、キャップ２００を取り付けたアルミ電解コンデンサ１００の防爆弁１０７が作動した状態を示す断面図である。図６に示すように、防爆弁１０７が作動して、開弁箇所から白煙や異臭を伴い電解液、気化した電解液及び水素ガス等が上方に噴出する。この際、収容部２０１は、上方に伸張して噴出された気体を漏洩することなく収容する。
【００４５】
以上のように、本実施形態のアルミ電解コンデンサ１００によれば、故障時に圧力が上昇して爆発を防止する防爆弁１０７が設けられている。更に、防爆弁１０７が作動した時にアルミ電解コンデンサ１００から噴出する電解液又は気化した電解液や水素ガス等を封入するキャップ２００を取り付けている。
【００４６】
これにより、過電圧や逆電圧が印加されてアルミ電解コンデンサ１００が故障した場合に、防爆弁１０７が作動して安全に故障に至ると共に、アルミ電解コンデンサ１００から噴出する電解液や気化した電解液が外部に漏洩するのを防止できる。従って、気化した電解液の白煙や異臭等により、使用者に不要な誤解を与えることも防止できる。
【００４７】
またキャップ２００は、防爆弁１０７の周囲を囲むようにアルミ電解コンデンサ１００に取り付けられ、防爆弁１０７が作動した時に風船状に膨らむので、アルミ電解コンデンサ１００から噴出する電解液又は気化した電解液や水素ガス等が多い場合でも、キャップ２００が膨らみ対応することができる。
【００４８】
また、キャップ２００は、防爆弁１０７が作動した時にアルミ電解コンデンサ１００から外れてしまうのを防止する環状伸縮部２０３を有しているので、環状伸縮部２０３が収縮してアルミ電解コンデンサ１００に付勢し、アルミ電解コンデンサ１００から噴出する気体の圧力によってキャップ２００が外れることを防止できる。
【００４９】
また、環状伸縮部２０３は、環状のゴムを含んで構成されるので、アルミ電解コンデンサ１００から噴出する気体の圧力によってキャップ２００が外れることを容易に防止できる。また、キャップ２００の取り付け工程においてゴムを伸長させてアルミ電解コンデンサに掛けるだけで簡易に取り付けることが可能である。
【００５０】
また、キャップ２００は、伸長した時に少なくともアルミ電解コンデンサ１００の主要部を覆うようにアルミ電解コンデンサ１００の高さ方向に伸縮する高さ方向伸縮部である縦伸縮部２０２を有しているので、縦伸縮部２０２が伸縮して高さの違いを吸収し、様々な高さのアルミ電解コンデンサ１００に取り付けることが可能である。
【００５１】
また、アルミ電解コンデンサ１００の内容物漏洩防止構造によれば、故障時に内圧が上昇して爆発することを防止する防爆弁１０７が設けられたアルミ電解コンデンサ１００と、防爆弁１０７が作動した時に防爆弁１０７から噴出するアルミ電解コンデンサ１００の電解液又は気化した電解液及び水素ガス等を封入するキャップ２００を有している。更に、キャップ２００は、少なくとも、風船状に伸張してアルミ電解コンデンサ１００の電解液又は気化した電解液及び水素ガスを封入する収容部２０１と、防爆弁１０７が作動した場合に、内圧によりアルミ電解コンデンサ１００から外れることを防止する環状伸縮部２０３と、を備え、環状収縮部２０３は、アルミ電解コンデンサ１００の金属ケース１０２に設けられた凹部１０４に係止するので、キャップ２００を外れ難くすることができる。また、キャップ２００の取り付け工程においてどの位置までキャップ２００を伸張させて取り付けるかが一定化され、取り付け作業の精度を向上することができる。
【００５２】
なお、本発明の範囲は上述した実施形態の限られず、特許請求の範囲の記載に反しない限り、他の様々な実施形態に適用可能である。例えば、上記の実施形態では、リード１０５、１０６を電源基板５０に挿入して実装するアルミ電解コンデンサ１００を例に挙げているが、特にこれに限定される必要はなく、表面実装型のアルミ電解コンデンサ１００についても適用可能である。
【００５３】
また、本実施形態では、筒状、特に、円筒形状のアルミ電解コンデンサ１００について説明したがアルミ電解コンデンサ１００の形状はこれに限られない。
【００５４】
また、本実施形態では、キャップ２００は、同一の材料によって構成したが、例えば、機能の違いによって異なった材料を用いるようにしても良い。
【００５５】
また、本実施形態では、キャップ２００は透明であるが、特にこれに限定されるものでなく、色付きでも良い。しかし、透明の方がキャップ２００を取り付けた後もアルミ電解コンデンサ１００の定格等を視認することができる。
【００５６】
また、本実施形態では、キャップ２００は、収容部２０１、縦伸縮部２０２及び環状伸縮部２０３より構成されているが、特にこれに限定されるものでなく、気体や電解液等が漏洩することを防止できれば適用可能である。すなわち、前記キャップの構成要素において、何れかが欠けていても良いし、新たな構成を加えても良い。
【００５７】
また、本実施形態では、キャップ２００の縦伸縮部２０２は、蛇腹状に形成されるものとしたが、形状は蛇腹状に限定されるものではなく、キャップ２００自体を伸縮性のある材料で構成することにより十分に縦伸縮部２０２として機能する。
【００５８】
また、本実施形態では、キャップ２００の環状伸縮部２０３は、ゴム等の伸縮部材を内蔵して構成されるものとしたがこれに限られない。例えば、アルミ電解コンデンサ１００にキャップ２００を取り付けた後、更に、キャップ２００の周囲をゴム等の別の伸縮部材でアルミ電解コンデンサ１００に付勢するようにしても良い。
【００５９】
また、本実施形態では、実装工程において、キャップ２００をいつ取り付けるか限定していないが、例えばアルミ電解コンデンサ１００を電源基板５０に実装する前に取り付け可能である。また、例えばアルミ電解コンデンサ１００を電源基板５０に実装した後でも取り付けることができ、実装工程中の幅広い段階で取り付け可能である。
【産業上の利用可能性】
【００６０】
防爆弁が設けられた電子部品を備える電子機器であれば、例えば、プリンタ、ファクシミリ装置、コピー装置等であっても適用可能である。
【図面の簡単な説明】
【００６１】
【図１】本発明の実施形態に係る記録装置の外観を示す斜視図である。
【図２】記録装置内部の主制御基板、電源基板及びその周辺付近を示す斜視図である。
【図３】本実施形態に係るアルミ電解コンデンサ１００の断面図である。
【図４】図３に示すアルミ電解コンデンサに取り付けるキャップの正面図である。
【図５】アルミ電解コンデンサにキャップを取り付ける手順を示す正面図である。
【図６】キャップを取り付けたアルミ電解コンデンサの防爆弁が作動した状態を示す断面図である。
【符号の説明】
【００６２】
１０  記録装置、１１  被記録物、１２  上部カバー、１３  上部ハウジング、１４  下部ハウジング、１５  挿入口、４０主制御基板、４１  コネクタ領域、４２  パワー系部品実装領域、４２ａ、４２ｂ  ヒートシンク  ４３  ロジック系部品実装領域、４４  インターフェイス部、５０  電源基板、５１  一次側部品群、１００  アルミ電解コンデンサ、１０１  コンデンサ素子、１０２  金属ケース、１０３  封口部材、１０４  凹部、１０５、１０６  リード、１０７  防爆弁、２００  キャップ、２０１  収容部、２０２  縦伸縮部、２０３  環状伸縮部
【図１】
2006286969.tif 000003
【図２】
2006286969.tif 000004
【図３】
2006286969.tif 000005
【図４】
2006286969.tif 000006
【図５】
2006286969.tif 000007
【図６】
2006286969.tif 000008